【手続補正書】
【提出日】平成24年8月23日(2012.8.23)
【手続補正１】
【補正対象書類名】特許請求の範囲
【補正対象項目名】全文
【補正方法】変更
【補正の内容】
【特許請求の範囲】
【請求項１】
冷媒を圧縮して吐出する圧縮機と、
前記冷媒と室外空気が熱交換する第１の熱源側熱交換器と、
前記冷媒と室外空気が熱交換し、前記冷媒の流れに対して熱交換する空気の流れが、前記第１の熱源側熱交換器を流れる冷媒と前記第１の熱源側熱交換器で熱交換される空気の流れと反対になる第２の熱源側熱交換器と、
前記第１の熱源側熱交換器と前記第２の熱源側熱交換器の少なくとも一方に冷媒を流す流路選択手段と、
を備えたことを特徴とする空気調和装置。
【請求項２】
冷房運転と暖房運転を切換える四方弁と、
前記第１の熱源側熱交換器に送風する第１の送風機と、
前記第２の熱源側熱交換器に送風する第２の送風機とを備え、
前記第１の熱源側熱交換器は、冷房運転時は前記冷媒の流れと前記第１の送風機が送風する空気の流れが対向流、暖房運転時は前記冷媒の流れと前記第１の送風機が送風する空気の流れが並行流となり、
前記第２の熱源側熱交換器は、冷房運転時は前記冷媒の流れと前記第２の送風機が送風する空気の流れが並行流、暖房運転時は前記冷媒の流れと前記第２の送風機が送風する空気の流れが対向流となる
ことを特徴とする請求項１に記載の空気調和装置。
【請求項３】
冷房運転時に運転容量が所定値以下になった場合に
前記流路選択手段は前記第１の熱源側熱交換器に冷媒を流し、前記第２の熱源側熱交換器に流れる冷媒を止める
ことを特徴とする請求項２に記載の空気調和装置。
【請求項４】
暖房運転時に運転容量が所定値以下になった場合に
前記流路選択手段は前記第２の熱源側熱交換器に冷媒を流し、前記第１の熱源側熱交換器に流れる冷媒を止める
ことを特徴とする請求項２に記載の空気調和装置。
【請求項５】
冷房運転時に運転容量が所定値以下になった場合に
前記流路選択手段は前記第１の熱源側熱交換器に冷媒を流して前記第１の送風機を駆動し、前記第２の熱源側熱交換器に流れる冷媒を止めて前記第２の送風機を停止する
ことを特徴とする請求項２に記載の空気調和装置。
【請求項６】
暖房運転時に運転容量が所定値以下になった場合に
前記流路選択手段は前記第２の熱源側熱交換器に冷媒を流して前記第２の送風機を駆動し、前記第１の熱源側熱交換器に流れる冷媒を止めて前記第１の送風機を停止する
ことを特徴とする請求項２に記載の空気調和装置。
【請求項７】
前記圧縮機に電圧を印加するインバータ回路を備え、
前記運転容量は前記圧縮機に印加する印加電圧の周波数に基づいて定めることを特徴とする請求項３乃至６のいずれかに記載の空気調和装置。
【請求項８】
前記圧縮機が吐出する冷媒の圧力を検出する圧力センサを備え、
運転容量は前記圧力センサの検出値に基づいて定めることを特徴とする請求項３乃至６のいずれかに記載の空気調和装置。
【請求項９】
前記圧縮機が吐出する冷媒の圧力を検出する圧力センサを備え、
冷房運転時に前記圧力センサの検出値が所定値以下になった場合に、前記第２の熱源側熱交換器に冷媒を流して前記第２の送風機を駆動し、前記第１の熱源側熱交換器に流れる冷媒を止めて前記第１の送風機を停止する
ことを特徴とする請求項２に記載の空気調和装置。
【請求項１０】
前記圧縮機が吐出する冷媒の圧力を検出する圧力センサを備え、
暖房運転時に前記圧力センサの検出値が所定値以上になった場合に、前記第１の熱源側熱交換器に冷媒を流して前記第１の送風機を駆動し、前記第２の熱源側熱交換器に流れる冷媒を止めて前記第２の送風機を停止する
ことを特徴とする請求項２に記載の空気調和装置。
【請求項１１】
冷媒を圧縮して吐出する圧縮機と、
冷房運転と暖房運転を切換える四方弁と、
前記第１の熱源側熱交換器は、冷房運転時は前記冷媒の流れと前記第１の送風機が送風する空気の流れが対向流、暖房運転時は前記冷媒の流れと前記第１の送風機が送風する空気の流れが並行流となる第１の熱源側熱交換器と、
前記第２の熱源側熱交換器は、冷房運転時は前記冷媒の流れと前記第２の送風機が送風する空気の流れが並行流、暖房運転時は前記冷媒の流れと前記第２の送風機が送風する空気の流れが対向流となる第２の熱源側熱交換器と、
前記第１の熱源側熱交換器と前記第２の熱源側熱交換器の少なくとも一方に冷媒を流す流路選択手段と、を備えた空気調和装置の運転方法において、
前記流路選択手段は前記第１の熱源側熱交換器と前記第２の熱源側熱交換器に冷媒を流す最大負荷運転工程と、
前記流路選択手段は前記第１の熱源側熱交換器と前記第２の熱源側熱交換器のいずれかに冷媒を流す部分負荷運転工程と、
を備えたことを特徴とする空気調和装置の運転方法。
【請求項１２】
前記第１の熱源側熱交換器に送風する第１の送風機と、
前記第２の熱源側熱交換器に送風する第２の送風機とを備え、
前記最大負荷運転工程では前記第１の送風機と前記第２の送風機を駆動し、
前記部分負荷運転工程では前記第１の熱源側熱交換器に冷媒が流れている場合は前記第１の送風機を駆動し、前記第２の熱源側熱交換器に冷媒が流れている場合は前記第２の送風機を駆動することを特徴とする請求項１１に記載の空気調和装置の運転方法。
【請求項１３】
前記部分負荷工程において
冷房運転時には前記流路選択手段が前記第１の熱源側熱交換器に冷媒を流して前記第１の送風機を駆動し、前記第２の熱源側熱交換器に流れる冷媒を止めて前記第２の送風機を停止し、
暖房運転時には前記流路選択手段が前記第２の熱源側熱交換器に冷媒を流して前記第２の送風機を駆動し、前記第１の熱源側熱交換器に流れる冷媒を止めて前記第１の送風機を停止する
ことを特徴する請求項１２に記載の空気調和装置の運転方法。
【請求項１４】
前記圧縮機が吐出する冷媒の圧力値を検出する圧力センサを備え、
前記部分負荷工程において
冷房運転時に前記圧力センサの検出値が所定値以下の場合は、
前記流路選択手段が前記第２の熱源側熱交換器に冷媒を流して前記第２の送風機を駆動し、前記第１の熱源側熱交換器に流れる冷媒を止めて前記第１の送風機を停止し、
暖房運転時に前記圧力センサの検出値が所定値以上の場合は、
前記流路選択手段が前記第１の熱源側熱交換器に冷媒を流して前記第１の送風機を駆動し、前記第２の熱源側熱交換器に流れる冷媒を止めて前記第２の送風機を停止する
ことを特徴する請求項１２に記載の空気調和装置の運転方法。
【手続補正２】
【補正対象書類名】明細書
【補正対象項目名】００１０
【補正方法】変更
【補正の内容】
【００１０】
本発明に係る空気調和装置は、冷媒を圧縮して吐出する圧縮機と、前記冷媒と室外空気が熱交換する第１の熱源側熱交換器と、前記冷媒と室外空気が熱交換し、前記冷媒の流れに対して熱交換する空気の流れが、前記第１の熱源側熱交換器を流れる冷媒と前記第１の熱源側熱交換器で熱交換される空気の流れと反対になる第２の熱源側熱交換器と、前記第１の熱源側熱交換器と前記第２の熱源側熱交換器の少なくとも一方に冷媒を流す流路選択手段と、を備えたことを特徴とする。
【手続補正３】
【補正対象書類名】明細書
【補正対象項目名】００１１
【補正方法】変更
【補正の内容】
【００１１】
本発明に係る空気調和装置の運転方法は、冷媒を圧縮して吐出する圧縮機と、冷暖房運転冷房運転と暖房運転を切換える四方弁と、前記第１の熱源側熱交換器は、冷房運転時は前記冷媒の流れと前記第１の送風機が送風する空気の流れが対向流、暖房運転時は前記冷媒の流れと前記第１の送風機が送風する空気の流れが並行流となる第１の熱源側熱交換器と、前記第２の熱源側熱交換器は、冷房運転時は前記冷媒の流れと前記第２の送風機が送風する空気の流れが並行流、暖房運転時は前記冷媒の流れと前記第２の送風機が送風する空気の流れが対向流となる第２の熱源側熱交換器と、前記第１の熱源側熱交換器と前記第２の熱源側熱交換器の少なくとも一方に冷媒を流す流路選択手段と、を備えた空気調和装置の運転方法において、前記流路選択手段は前記第１の熱源側熱交換器と前記第２の熱源側熱交換器に冷媒を流す最大負荷運転工程と、前記流路選択手段は前記第１の熱源側熱交換器と前記第２の熱源側熱交換器のいずれかに冷媒を流す部分負荷運転工程と、を備えたことを特徴とする。
【手続補正４】
【補正対象書類名】明細書
【補正対象項目名】００２７
【補正方法】変更
【補正の内容】
【００２７】
次に図５に基づいて本実施の形態１における空気調和装置の運転方法について説明する。操作部にて設定された運転モードや設定室温といった運転情報に基づいて運転が開始されるとＳ１ａにて冷房運転か否かを判定する。冷房運転である場合はＳ１０ａに移行し、冷房運転でない場合はＳ１ｂに移行する。Ｓ１ｂでは暖房運転か否かを判定する。暖房運転である場合はＳ１０ｂに移行し、暖房運転でない場合はＳ１ａに戻る。
【手続補正５】
【補正対象書類名】明細書
【補正対象項目名】００４８
【補正方法】変更
【補正の内容】
【００４８】
暖房運転時において、Ｓ２３ｂでは圧力センサ１ａが検出する圧力値Ｐｄを予め定めた値Ｙに対して、Ｐｄ＞Ｙとなる場合はＳ２２ｂに移行し、ならない場合はＳ２０ｂに戻る。Ｓ２２ｂでは冷媒が空気流れに対して並行流となる熱源側熱交換器３のみを用いて運転を行うので、制御装置１０は電磁弁１１ａ、１１ｂを開き、電磁弁２１ａ、２１ｂを閉じる。それに伴って、送風機３１を駆動して、送風機４１を停止する。その後、Ｓ２３ｂに移行する。